(57)【要約】      （修正有）【課題】紙綴じ具の綴じ金具の補正、修整、取り外しが容易にでき、また綴じ金具の打ち込み位置の決定を正確且つ簡便にする紙綴じ具を提供する。【解決手段】紙綴じ具１の綴じ金具受け皿２の前面部に、綴じ金具の補正、修整、取り外しを容易にするための、爪４、又は双牙を設け、綴じ金具受け皿２の表面、両側面及び綴じ金具収納庫３の両側面に、綴じ金具１の打ち込み位置を正確に提示する位置決め罫線を形成することで解決手段とした。【選択図】図１
2004330402.tif 000002
【特許請求の範囲】
【請求項１】
紙綴じ具（１）の綴じ金具受け皿（２）に、爪（４）を設けたことを特徴とする、爪付き紙綴じ具。
【請求項２】
紙綴じ具（１）の綴じ金具受け皿（２）に、双牙（５）を設けたことを特徴とする、双牙付き紙綴じ具
【請求項３】
紙綴じ具（１）の綴じ金具受け皿（２）と綴じ金具収納庫（３）に、位置決め罫線（６）を設けたことを特徴とする、罫線付き紙綴じ具。
【発明の詳細な説明】
【０００１】
【発明の属する技術分野】
この発明は、紙綴じ具の綴じ金具受け皿前面部に、綴じ金具の補正、修整、取り外しを容易にするための爪、又は双牙を設け、綴じ金具受け皿の表面と両側面、及び綴じ金具収納庫の両側面に、綴じ金具の打ち込み位置を正確に決める位置決め罫線を設けた、爪、双牙、罫線付き紙綴じ具に関するものである。
【０００２】
【従来の技術】
従来より、紙綴じ具の爪は存在するが後部にあり、前部の爪又は双牙、及び位置決め罫線は本発明に類似しているものはない。
【０００３】
【発明が解決しようとする課題】
これらには、次のような問題点があった。
（イ）  従来の爪は、紙綴じ具の後部に装備しているので、綴じ金具を補正、修整、取り外しするためには紙綴じ具を持ち直す必要がある。
（ロ）  綴じ金具の打ち込みが複数個の場合綴じ金具の位置が不揃いになる。
（ハ）  綴じ金具の取り外し後の片付けに時間が掛かる。
本発明は、これらの欠点を解決するために、
（イ）  綴じ金具受け皿前面部に爪、又は双牙を装備するので、紙綴じ具を持ち直す必要がなく、綴じ金具の補正、修整、取り外しが容易になる。
（ロ）  綴じ金具受け皿と綴じ金具収納庫に、定位置決めの、位置決め罫線を設けたので、綴じ金具を複数個打ち込んでも不揃いにならない。
（ハ）  爪及び双牙に弱磁性を帯びさせることで、綴じ金具の取り外し後の片付けが容易になる。
以上のような、綴じ金具の補正、修整、取り外しのための爪、又は双牙、及び綴じ金具打ち込みのための位置決め罫線の機構を要求する紙綴じ具を提供すべく発明されたものである。
【０００４】
【課題を解決するための手段】
紙綴じ具（１）の綴じ金具受け皿（２）前面部に、綴じ金具（７）の補正、修整、そして取り外しをするための爪（４）、又は双牙（５）を設ける。綴じ金具受け皿（２）の表面、両側面そして綴じ金具収納庫（３）の両側面に、綴じ金具（７）を綴じ面の縁と平行に複数個打ち込む場合、直線に揃うように、位置決め罫線（６）を設ける。
本発明は、以上の構成よりなる爪、双牙、罫線付き紙綴じ具である。
【０００５】
【発明の実施の形態】
本発明の実施に当たっては、一体型紙綴じ具爪、双牙付き式、スライド型紙綴じ具爪、双牙付き式、綴じ金具位置決め罫線式が考えられる。
これらにつき各々の構造を詳しく説明する。
（イ）  一体型紙綴じ具爪、双牙付き式
一体型紙綴じ具爪付きの場合を、図  ２においてその構成を説明すれば、紙綴じ具（１）の綴じ金具受け皿（２）前面部と一体化した半長円形状又は半楕円形状（標準的規格寸法縦１０ミリＸ横１０ミリＸ高２ミリ以内）の爪（４）を設けることによって、図１の形状にする。
本発明は以上のような構造で、これを使用する時は、例えば図１において、爪（４）の先端又は底面を用いて、綴じ金具（７）の補正、修整を行い、又、爪（４）の先端を差し込み、爪底面の斜面と綴じ金具受け皿（２）を梃子として綴じ金具（７）の取り外しを行う。
一体型紙綴じ具双牙付きの場合を、図  ４においてその構成を説明すれば、紙綴じ具（１）の綴じ金具受け皿（２）前面部と一体化した半長円形状又は半楕円形状（標準的規格寸法縦１０ミリＸ横１０ミリＸ高２ミリ以内）の双牙（５）を設けることによって、図  ３の形状にする。
本発明は以上のような構造で、これを使用する時は、例えば図３において、双牙（５）の先端又は底面を用いて、綴じ金具（７）の補正、修整を行い、又、双牙（５）の先端を差し込み、又は綴じ金具（７）の片足に、双牙（５）の間を差し入れ、捻り動作と共に双牙底面の斜面と綴じ金具受け皿（２）を梃子として、綴じ金具（７）の取り外しを行う。
一体型紙綴じ具の爪又は双牙は、鋼鉄板、又は帯弱磁性鋼鉄板の材質を用いるのが最も望ましい。
（ロ）  スライド型紙綴じ具爪、双牙付き式
スライド型紙綴じ具爪付きについてその構成を説明すれば、紙綴じ具（１）の綴じ金具受け皿（２）内に格納する、爪胴（９）と連結して長方形を形成している片側短辺側が半長円形状又は半楕円形状の長方形（標準的規格寸法縦１０ミリＸ横１５ミリＸ高２ミリ以内）の爪（４）を設けることによって、図７の形状にする。
本発明は以上のような構造で、これを使用する時は、例えば図７において、綴じ金具受け皿（２）内に設けている爪胴（９）に連結する爪翼（１０）を、爪翼誘導路（１１）に沿って爪出納口（１４）へスライドし、綴じ金具受け皿側凹状突起受け（１３）が爪胴（９）の爪側凸状突起（１２）を保守し、爪（４）を保持する。図６において、爪（４）の先端又は底面を用いて、綴じ金具（７）の補正、修整を行い、又、爪（４）の先端を差し込み、爪底面の斜面と綴じ金具受け皿（２）を梃子として綴じ金具（７）の取り外しを行う。本発明を使用しない時は、綴じ金具受け皿（２）内に設けている爪胴（９）に連結する爪翼（１０）を、爪翼誘導路（１１）に沿って爪止め（１５）へスライドし、綴じ金具受け皿側凹状突起受け（１３）が爪胴（９）の爪側凸状突起（１２）を保守し、爪（４）を保持する。
スライド型紙綴じ具爪付きの爪、爪胴、爪翼、爪側凸状突起、綴じ金具受け皿側凹状突起受け及び爪止めは、鋼鉄板、弾性体鋼鉄板、帯弱磁性鋼鉄板、硬軟質合成樹脂の材質を用いるのが最も望ましい。
スライド型紙綴じ具双牙付きについてその構成を説明すれば、紙綴じ具（１）の綴じ金具受け皿（２）内に格納する、双牙胴（１６）と連結して長方形に形成している片側短辺側が半長方形状又は半楕円形状の長方形（標準的規格寸法縦１０ミリＸ横１５ミリＸ高２ミリ以内）の双牙（５）を設けることによって、図９の形状にする。
本発明は以上のような構造で、これを使用する時は、例えば図９において、綴じ金具受け皿（２）内に設けている双牙胴（１６）に連結する双牙翼（１７）を、双牙翼誘導路（１８）に沿って双牙出納口（２０）へスライドし、綴じ金具受け皿側凹状突起受け（１３）が双牙側凸状突起（１９）を保守し、双牙（５）を保持する。図８において、双牙（５）の先端又は底面を用いて、綴じ金具（７）の補正、修整を行い、又、双牙（５）の先端を差し込み、又は綴じ金具（７）の片足に、双牙（５）の間を差し入れ、捻り動作と共に双牙底面の斜面と綴じ金具受け皿（２）を梃子として、綴じ金具（７）の取り外しを行う。
本発明を使用しない時は、綴じ金具受け皿（２）内に設けている双牙胴（１６）に連結する双牙翼  （１７）を、双牙翼誘導路（１８）に沿って双牙止め（２１）へスライドし、綴じ金具受け皿側凹状突起受け（１３）が双牙胴（１６）の双牙側凸状突起（１９）を保守し、双牙（５）を保持する。
スライド型紙綴じ具の双牙、双牙胴、双牙翼、双牙側凸状突起、綴じ金具受け皿側凹状突起受け及び双牙止めは、鋼鉄板、弾性体鋼鉄板、帯弱磁性鋼鉄板、硬軟質合成樹脂の材質を用いるのが最も望ましい。
（ハ）  綴じ金具位置決め罫線式
図１１においてその構成を説明すれば、紙綴じ具（１）の綴じ金具受け皿（２）の表面、両側面及び綴じ金具収納庫（３）の両側面に、位置決め罫線（６）を設けることによって、図１１の形状にする。
本発明は以上のような構造で、これを使用する時は、例えば図１２において、綴じ金具受け皿（２）と綴じ金具収納庫（３）の間に、複数枚の重ね綴じ紙（８）を深く差し入れて、綴じ金具（７）を綴じ面の縁と平行に複数個打ち込む場合に、綴じ金具（７）が直線に揃うように位置決め罫線（６）を用いる。
位置決め罫線は、刻み目刻印線、位置仕分け線、色彩仕分け線に、合成樹脂塗料の材質を用いるのが最も望ましい。
【０００６】
【発明の効果】
本発明の効果は、紙綴じ具の綴じ金具受け皿前面部に、爪又は双牙を設けたことによって、綴じ金具の補正、修整、取り外しが、円滑且つ容易に出来る。爪及び双牙に弱磁性を帯びさせることで、綴じ金具の取り外し後の片付けが容易になる。紙綴じ具の綴じ金具受け皿の表面、両側面、及び綴じ金具収納庫の両側面に、位置決め罫線を設けたことによって、綴じ金具の複数個の打ち込み位置の決定が簡単にでき、正確に直線上に綴じ金具が揃う。以上が本発明を使用することの最大の効果である。
【図面の簡単な説明】
【図  １】本発明の正面図
【図  ２】本発明の平面図
【図  ３】本発明の他の実施例を示す正面図。
【図  ４】本発明の他の実施例を示す平面図。
【図  ５】本発明の右側面図。
【図  ６】本発明の他の実施例を示す正面図。
【図  ７】本発明の他の実施例を示す底面図。
【図  ８】本発明の他の実施例を示す正面図。
【図  ９】本発明の他の実施例を示す底面図。
【図１０】本発明の他の実施例を示す右側面図。
【図１１】本発明の他の実施例を示す正面図。
【図１２】本発明の他の実施例を示す正面図。
【符号の説明】
１      紙綴じ具
２      綴じ金具受け皿
３      綴じ金具収納庫
４      爪
５      双牙
６      位置決め罫線
７      綴じ金具
８      重ね綴じ紙
９      爪胴
１０      爪翼
１１      爪翼誘導路
１２      爪側凸状突起
１３      綴じ金具受け皿側凹状突起受け
１４      爪出納口
１５      爪止め
１６      双牙胴
１７      双牙翼
１８      双牙誘導路
１９      双牙側凸状突起
２０      双牙出納口
２１      双牙止め
【図１】
2004330402.tif 000003
【図２】
2004330402.tif 000004
【図３】
2004330402.tif 000005
【図４】
2004330402.tif 000006
【図５】
2004330402.tif 000007
【図６】
2004330402.tif 000008
【図７】
2004330402.tif 000009
【図８】
2004330402.tif 000010
【図９】
2004330402.tif 000011
【図１０】
2004330402.tif 000012
【図１１】
2004330402.tif 000013
【図１２】
2004330402.tif 000014